(57)【要約】      （修正有）【課題】素手では容易には開かず、かつ、コインなどの道具を使った場合には簡単に開けることができる電子部品収納ケースを提供する。【解決手段】電子部品収納ケース１０は、内部に電池を含む電子部品５２を収納可能な収納部１０１を有し、第１ケース部材１１と第２ケース部材１２とに分離可能に構成されている。電子部品収納ケース１０は、嵌合部２０と、溝部１３と、を備える。嵌合部２０は、第１ケース部材１１又は第２ケース部材１２の一方に設けられた爪部２０１と、第１ケース部１１材又は第２ケース部材１２の他方に設けられ、爪部２０１を受けて嵌合する受け部２０２と、を有して長尺状に構成される。爪部２０１が受け部２０２に嵌合することで、第１ケース部材と第２ケース部材とを分離可能に結合する。溝部は、第１ケース部材及び第２ケース部材のいずれか一方又は両方の側面を窪ませて形成されている。【選択図】図１
2020161679.tif 000002
【特許請求の範囲】
【請求項１】
内部に電池を含む電子部品を収納可能な収納部を有し、第１ケース部材と第２ケース部材とに分離可能に構成された電子部品収納ケースであって、
前記第１ケース部材又は前記第２ケース部材の一方に設けられた爪部と、前記第１ケース部材又は前記第２ケース部材の他方に設けられ前記爪部を受けて嵌合する受け部と、を有して長尺状に構成され、前記爪部が前記受け部に嵌合することで前記第１ケース部材と前記第２ケース部材とを分離可能に結合する嵌合部と、
前記第１ケース部材及び前記第２ケース部材のいずれか一方又は両方の側面を窪ませて形成された溝部と、を備え、
前記嵌合部全体のうち前記溝部に最も近い箇所は、前記嵌合部の端部である、
電子部品収納ケース。
【請求項２】
前記溝部は、前記嵌合部のうち隣接して配置された２つの直線部分の延長線上の交点を含む位置に設けられている、
請求項１に記載の電子部品収納ケース。
【請求項３】
内部に電池を含む電子部品を収納可能な収納部を有し、第１ケース部材と第２ケース部材とに分離可能に構成された電子部品収納ケースであって、
前記第１ケース部材又は前記第２ケース部材の一方に設けられた爪部と、前記第１ケース部材又は前記第２ケース部材の他方に設けられ前記爪部を受けて嵌合する受け部と、を有して長尺状に構成され、前記爪部が前記受け部に嵌合することで前記第１ケース部材と前記第２ケース部材とを分離可能に結合する嵌合部と、
前記第１ケース部材及び前記第２ケース部材のいずれか一方又は両方の側面を窪ませて形成された溝部と、を備え、
前記嵌合部全体のうち前記溝部に最も近い箇所は、前記嵌合部が屈曲した角部である、
電子部品収納ケース。
【請求項４】
内部に電池を含む電子部品を収納可能な収納部を有し、第１ケース部材と第２ケース部材とに分離可能に構成された電子部品収納ケースであって、
前記第１ケース部材又は前記第２ケース部材の一方に設けられた爪部と、前記第１ケース部材又は前記第２ケース部材の他方に設けられ前記爪部を受けて嵌合する受け部と、を有して長尺状に構成され、前記爪部が前記受け部に嵌合することで前記第１ケース部材と前記第２ケース部材とを分離可能に結合する嵌合部と、
前記第１ケース部材及び前記第２ケース部材のいずれか一方又は両方の側面を窪ませて形成された溝部と、を備え、
前記嵌合部全体のうち前記溝部に最も近い箇所は、前記嵌合部の全体のうち当該嵌合部の直線部分の最も短い部分である、
電子部品収納ケース。
【請求項５】
前記嵌合部全体のうち前記溝部に最も近い箇所に面取りが施されている、
請求項１から４のいずれか一項に記載の電子部品収納ケース。
【請求項６】
防水性を有する材料で構成され、前記第１ケース部材と前記第２ケース部材とが結合されている状態において前記第１ケース部材と前記第２ケース部材との間に挟み込まれる防水部材を更に備え、
前記嵌合部は、前記防止部材の外側で、かつ、前記収納部の周囲に沿って配置されている、
請求項１から５のいずれか一項に記載の電子部品収納ケース。
【請求項７】
前記第１ケース部材及び前記第２ケース部材は、相互に結合された状態において矩形状に形成されており、
前記溝部は、矩形状における４つの隅部のうちの少なくともいずれか１箇所に設けられている、
請求項１から６のいずれか一項に記載の電子部品収納ケース。
【請求項８】
矩形状における４つの隅部のうち前記溝部が設けられていない箇所に、前記第１ケース部材及び前記第２ケース部材を貫いて形成された穴部が形成されている、
請求項７に記載の電子部品収納ケース。
【発明の詳細な説明】
【技術分野】
【０００１】
本発明の実施形態は、電子部品収納ケースに関する。
【背景技術】
【０００２】
例えばホームセキュリティーの分野などで用いられる無線タグは、外部の機器に対して無線通信を行うため、小型で携帯可能なケースの内部に無線通信用の回路基板と電池とを収納して構成されている。電池は、例えば入手性の良いコイン電池などが用いられる。電池は消耗品であるため適宜交換する必要があるが、この電池の交換は、ユーザ自身がケースを開いて行われることが多い。そのため、無線タグなどに用いられるケースは、電池交換のし易さの観点から見れば、ユーザによって簡単に開けることができる構成が要求される。
【０００３】
一方で、例えばコイン電池は小型であることから、例えば乳幼児などが無線タグで遊んでいる最中に誤ってケースが開いてしまうと、乳幼児が電池を取り出して誤飲してしまう可能性が高まる。そのため、無線タグなどに用いられるケースは、乳幼児などによる電池の誤飲を防止するという観点から見れば、乳幼児などでは簡単に開けることができない構成とすることが重要である。
【０００４】
そこで、従来構成では、ケースに溝を設け、その溝に所定の道具、例えばユーザが普段持っていると想定されるコインなどを差し込んでケースを開ける構成が考えられている。これによれば、ケースを開ける際には溝にコインなどを差し込むという所定の操作が必要になるため、乳幼児などが無線タグで遊んでいる際中に誤ってケースを開けてしまうことを防ぐことができ、その結果、電池の誤飲を抑制することができる。しかしながら、従来構成では、コインなどの道具を用いても、ケースを開ける際には強い力が必要であった。そのため、従来構成では、ケースの開け易さについては改善の余地があった。
【先行技術文献】
【特許文献】
【０００５】
【特許文献１】特開２００７−２９９８０３号公報
【発明の概要】
【発明が解決しようとする課題】
【０００６】
本発明は上記事情に鑑みてなされたものであり、その目的は、コインなどの道具を使わずに素手で開けようとした場合には容易には開かず、かつ、コインなどの道具を使った場合には簡単に開けることができる電子部品収納ケースを提供することにある。
【課題を解決するための手段】
【０００７】
（請求項１）
請求項１に係る電子部品収納ケースは、内部に電池を含む電子部品を収納可能な収納部を有し、第１ケース部材と第２ケース部材とに分離可能に構成されている。電子部品収納ケースは、嵌合部と、溝部と、を備える。嵌合部は、前記第１ケース部材又は前記第２ケース部材の一方に設けられた爪部と、前記第１ケース部材又は前記第２ケース部材の他方に設けられ前記爪部を受けて嵌合する受け部と、を有して長尺状に構成され、前記爪部が前記受け部に嵌合することで前記第１ケース部材と前記第２ケース部材とを分離可能に結合する。溝部は、前記第１ケース部材及び前記第２ケース部材のいずれか一方又は両方の側面を窪ませて形成されている。
【０００８】
この構成によれば、長尺状の嵌合部によって嵌合箇所をより長く確保することで、第１ケース部材と第２ケース部材とを強固に結合することができる。これにより、電子部品収納ケースを例えば人の素手で開くことを困難にすることができ、その結果、乳幼児などが誤って開けてしまい、電子部品収納ケースの内部に収納されている電池等の部品を誤飲してしまうといった事態を防ぐことができる。そして、ユーザがケースを開けるつまり第１ケース部材と第２ケース部材とを分離させる場合には、ユーザは、ケースの側面に形成された溝部に、例えばコインなどの板状で剛性を有する道具を挿入し、てこの原理で第１ケース及び第２ケースに力を加える。これにより、嵌合部の嵌合が外れて、第１ケース部材と第２ケース部材とが分離する。
【０００９】
この場合、長尺状の嵌合部を長くすれば、第１ケース部材と第２ケース部材とをより強固に結合することができるが、ケースを開ける際にも更に強い力が必要となり、コイン等の道具を使っても開け難くなる。そこで、本構成において、前記嵌合部全体のうち前記溝部に最も近い箇所は、前記嵌合部の端部となっている。
【００１０】
すなわち、一般にこのような長尺状の嵌合部を分離させる場合、その分離の初期の段階つまり分離し始める際に最も大きな力を要する。つまり、コイン等の道具から溝部に加えられた力は、嵌合部に伝わり、これにより嵌合部における爪部と受け部との嵌合が外れ始める。そして、一旦、爪部と受け部との嵌合が外れると、その後は、比較的小さな力でも、その外れた部分から連鎖的に外れる。
【００１１】
ここで、ユーザの力が嵌合部における長手方向の中央部分に伝わる構成とすると、嵌合部に伝わった力は嵌合部の長手方向に沿って嵌合部全体に分散してしまう。そのため、このような構成では、嵌合部が分離し始める際には、ユーザの力が嵌合部に効率的に伝達され難く、また、力の損失が多いため、嵌合部の爪部と受け部とを分離させ始めるために大きな力が必要となる。
【００１２】
これに対し、本構成において、前記嵌合部全体のうち前記溝部に最も近い箇所は、前記嵌合部の端部となっている。このため、嵌合部の爪部と受け部とを分離させる初期の段階において、コイン等の道具から溝部に加えられた力を嵌合部の端部に集中させることができる。これにより、コイン等の道具から溝部に加えられた力を嵌合部に効率的に伝えることができ、その結果、従来よりも軽い力で嵌合部を分離させてケースを開くことができる。
【００１３】
このように、本構成の電子部品収納ケースは、コインなどの道具を使わずに素手で開ける場合には容易には開かず、かつ、コインなどの道具を使った場合には簡単に開けることができる。その結果、本構成によれば、乳幼児などが誤って電子部品収納ケースを開けてしまい、内部の電池等を誤飲等してしまうことを防止できるという安全性と、電池交換等の際に電子部品収納ケースを軽い力で容易に開けることができるという作業性と、の両者の向上を図ることができる。
【００１４】
（請求項２）
請求項２に係る構成において、前記溝部は、前記嵌合部のうち隣接して配置された２つの直線部分の延長線上の交点を含む位置に設けられている。これによれば、コインなどの道具を溝部に挿入した場合に、そのコインの作用点を、嵌合部のうち隣接する２つの直線部分の端部に極力近づけることができる。このため、ユーザがコイン等の道具を用いて溝部に加えた力が、嵌合部のうち隣接する２つの直線部分の端部に効率良く伝達される。そして、嵌合部は２箇所の端部でほぼ同時に外れ始め、その後、他の部分も直線部分に沿って順次外れていく。このように、本構成によれば、嵌合部の２箇所の端部をほぼ同時に外し始めることができるため、第１ケース部材と第２ケース部材とを更に簡単にかつ素早く分離つまり電子部品収納ケースを開くことができる。
【００１５】
（請求項３）
請求項３に係る電子部品収納ケースは、上記請求項１に係る電子部品収納ケースと同様に、嵌合部と、溝部と、を備える。そして、本構成において、前記嵌合部全体のうち前記溝部に最も近い箇所は、前記嵌合部が屈曲した角部である。
【００１６】
本構成によっても、上記請求項１に係る構成と同様の作用効果が得られる。すなわち、本構成によっても、コイン等の道具から溝部に加えられた力を、嵌合部の角部に集中させることができる。これにより、コイン等の道具から溝部に加えられた力を、嵌合部に効率的に伝えることができ、その結果、従来よりも軽い力で嵌合部を分離させてケースを開くことができる。
【００１７】
（請求項４）
請求項４に係る電子部品収納ケースは、上記請求項１に係る電子部品収納ケースと同様に、嵌合部と、溝部と、を備える。そして、本構成において、前記嵌合部全体のうち前記溝部に最も近い箇所は、前記嵌合部の全体のうち当該嵌合部の直線部分の最も短い部分である。
【００１８】
これによれば、嵌合部２０の全体のうち他の直線部分よりも短いため、これら他の直線部分に対して力を作用させた場合に比べてより小さい力で嵌合を外すことができる。そのため、これによれば、上記各請求項の構成には及ばないものの、従来構成に比べれば軽い力で嵌合部を分離させて電子部品収納ケースを開くことができる。
【００１９】
（請求項５）
請求項５に係る構成において、嵌合部全体のうち前記溝部に最も近い箇所に面取りが施されている。すなわち、嵌合部全体のうち前記溝部に最も近い箇所は、コイン等の道具を用いて電子部品収納ケースを開く際に、その開け初めの際において力が作用する箇所である。そして、この開け初めに力が作用する箇所に面取りを施すことで、この面取りを施した部分における爪部と受け部との嵌合を弱くすることができる。この結果、ユーザがコイン等の道具を用いた場合には、より小さな力で電子部品収納ケースを開くことができる。
【００２０】
（請求項６）
請求項６に係る構成において、電子部品収納ケースは、防水性を有する材料で構成され、前記第１ケース部材と前記第２ケース部材とが結合されている状態において前記第１ケース部材と前記第２ケース部材との間に挟み込まれる防水部材を更に備えている。そして、前記嵌合部は、前記防止部材の外側で、かつ、前記収納部の周囲に沿って配置されている。
【００２１】
これによれば、防水部材の外側において嵌合部の爪部と受け部とを嵌合させることで、第１ケース部材と第２ケース部材とで防水部材を強く圧縮することができる。このため、第１ケース部材と第２ケース部材との結合部分の隙間から外部の水分の侵入を効率良く抑制できる。これにより、電子部品収納ケース内の高い防水性を確保することができ、その結果、水分の影響による電池や電子部品の不具合を抑制することでできる。
【００２２】
（請求項７）
ここで、例えば電子部品収納ケース内に収納される電子部品として回路基板が用いられるが、通常、回路基板は、同一形状のものを複数枚一括して製造するため、矩形形状のものが多い。そのため、電子部品収納ケース及び収納部を矩形にすることで、内部に矩形の電子基板をスペースの無駄無く配置することができる。しかし、電子部品収納ケース内に収納される例えばコイン電池は円板状であるため、電子部品収納ケース及び収納部を矩形にすると、隅部がデッドスペースとなって無駄になる。
【００２３】
そこで、請求項７に係る構成において、前記第１ケース部材及び前記第２ケース部材は、相互に結合された状態において矩形状に形成されており、前記溝部は、矩形状の角部に設けられている。これによれば、前記第１ケース部材及び前記第２ケース部材を矩形状に形成することで、回路基板等の矩形状の電子部品を効率良くスペースの無駄なく配置することができる。更に、前記溝部は、矩形状の角部に設けられている。このように、電子部品収納ケース及び収納部を矩形にした場合にデッドスペースになりがちな角部に溝部を設けることで、収納部内のスペースを有効活用でき、その結果、電子部品収納ケースの大型化を抑制しつつ、溝部の領域を極力広く確保して電子部品収納ケースを開ける際の操作性を向上させることができる。
【００２４】
（請求項８）
請求項８に係る構成は、矩形状における４つの隅部のうち前記溝部が設けられていない箇所に、前記第１ケース部材及び前記第２ケース部材を貫いて形成された穴部が形成されている。ユーザは、穴部に例えば円環状のキーリングを通すことができる。これにより、ユーザが嵌合部の爪部及び受け部を外して第１ケース部材と第２ケース部材とを分離した場合であっても、第１ケース部材と第２ケース部材とがバラバラに離散してしまうことを防止できる。そして、この穴部を、矩形状における４つの隅部のうち前記溝部が設けられていない箇所に形成することによって、デッドスペースになりがちな隅部を有効活用することができる。これにより、穴部を設けるために第１ケース部材及び第２ケース部材を拡大する必要がなく、その結果、電子部品収納ケースの大型化を抑制することができる。
【図面の簡単な説明】
【００２５】
【図１】第１実施形態による電子部品収納ケースについて、上ケース部材を取り外した状態を示す平面図
【図２】第１実施形態による電子部品収納ケースについて、図１のＸ２−Ｘ２線に沿って示す断面図
【図３】第１実施形態による電子部品収納ケースについて、図１のＸ３−Ｘ３線に沿って示す断面図
【図４】第１実施形態による電子部品収納ケースについて、図１における溝部周辺を拡大して示す図
【図５】第１実施形態による電子部品収納ケースについて、当該電子部品収納ケースを開く際の手順を示す断面図
【図６】第２実施形態による電子部品収納ケースについて、上ケース部材を取り外した状態を示す平面図
【図７】第３実施形態による電子部品収納ケースについて、上ケース部材を取り外した状態を示す平面図
【図８】その他の実施形態による電子部品収納ケースについて、上ケース部材を取り外した状態を示す平面図
【発明を実施するための形態】
【００２６】
以下、複数の実施形態について、図面を参照して説明する。なお、各実施形態において実質的に同一の構成部位には同一の符号を付し、説明を省略する。
【００２７】
（第１実施形態）
第１実施形態について、図１〜図５を参照して説明する。図１に示す電子部品収納ケース１０（以下、ケース１０と称する）は、例えば樹脂製であって、全体として矩形の板状に構成されている。本実施形態の場合、ケース１０は、全体として正方形の板状又はブロック状に形成されている。また、本実施形態の場合、ケース１０の４つの隅部は、角が落とされて湾曲したいわゆるＲ形状に形成されている。
【００２８】
図２及び図３に示すように、ケース１０は、内部に収納部１０１を備えている。収納部１０１は、例えば矩形状の空間である。この場合、図１に示すように、収納部１０１の４つの隅部のうち１つは、隅切部１０２として形成されている。隅切部１０２は、矩形状の収納部１０１の角を落としていわゆる隅切した形状に形成されている。収納部１０１には、電池５１を含む電子部品５２が収納される。
【００２９】
図２及び図３にも示すように、ケース１０は、第１ケース部材１１と第２ケース部材１２とを備えている。なお、図１及び図４は、第２ケース部材１２が取り外された状態を示しており第２ケース部材１２は表されていないが、説明を容易にするため、第２ケース部材１２に関する構成については二点鎖線の引き出し線で符号を付している。
【００３０】
第１ケース部材１１と第２ケース部材１２とは、外力が加えられることによって相互に分離可能に構成されている。この場合、収納部１０１は、第１ケース部材１１と第２ケース部材１２との間に設けられた空間、すなわち、周囲を第１ケース部材１１及び第２ケース部材１２に囲まれた空間である。
【００３１】
収納部１０１内に収納される電池５１は、第１ケース部材１１と第２ケース部材１２とのうちいずれか一方に、直接的又は電子部品５２等を介して着脱可能に固定される。また、収納部１０１内に収納される電子部品５２は、第１ケース部材１１と第２ケース部材１２とのうちいずれか一方に着脱不可能に固定される。この場合、第１ケース部材１１と第２ケース部材１２とのうち、電池５１及び電子部品５２が固定される方を下ケース部材と称し、電池５１及び電子部品５２が固定されない方を上ケース部材と称することもできる。
【００３２】
本実施形態の場合、図２及び図３に示すように、電子部品５２は、第１ケース部材１１に設けられた取付部１１１を介して第１ケース部材１１に固定されている。また、電池５１は、電子部品５２に着脱可能に設けられている。この場合、電子部品５２が固定された第１ケース部材１１を下ケース部材と称し、電子部品５２が固定されていない第２ケース部材１２を上ケース部材と称する。
【００３３】
ケース１０は、嵌合部２０を備えている。嵌合部２０は、第１ケース部材１１と第２ケース部材１２とを分離可能に結合させる機能を有する。嵌合部２０は、爪部２０１と受け部２０２とを有して構成されている。爪部２０１は、第１ケース部材１１又は第２ケース部材１２の一方に設けられている。また、受け部２０２は、第１ケース部材１１及び第２ケース部材１２のうちの他方つまり爪部２０１が設けられていない方に設けられている。本実施形態の場合、爪部２０１は第１ケース部材１１に設けられており、受け部２０２は第２ケース部材１２に設けられている。この場合、爪部２０１と受け部２０２とは、相互に対向する位置に設けられている。
【００３４】
図２に示すように、第１ケース部材１１と第２ケース部材１２とが結合された状態において、爪部２０１と受け部２０２とは、ケース１０の面方向に並んで対向している。本実施形態の場合、第１ケース部材１１に設けられた爪部２０１は、第２ケース部材１２に設けられた受け部２０２の内側に配置されている。爪部２０１と受け部２０２とは、それぞれケース１０の面方向へ突出及び窪んだ形状に形成されている。
【００３５】
この構成において、嵌合部２０つまり爪部２０１及び受け部２０２は、第１ケース部材１１と第２ケース部材１２とが接近する方向への力が作用することにより、相互に嵌合する。これにより第１ケース部材１１と第２ケース部材１２とは、爪部２０１と受け部２０２との作用により結合される。また、嵌合部２０つまり爪部２０１及び受け部２０２は、第１ケース部材１１と第２ケース部材１２とが離間する方向への力が作用することにより、嵌合が解除される。これにより、第１ケース部材１１と第２ケース部材１２とが分離されて、収納部１０１が外部に露出する。
【００３６】
図１に示すように、嵌合部２０は、収納部１０１の周囲を囲むように配置されている。本実施形態の場合、嵌合部２０は、収納部１０１の矩形の各辺に対応して設けられており、収納部１０１の各辺に沿って直線状に延びた細長い帯状に形成されている。嵌合部２０は、収納部１０１の４つの角部つまり隅部に対応する位置でそれぞれ途切れている。すなわち、嵌合部２０は、平面視で矩形状の収納部１０１の４つの角部つまり隅部において部分的に離間している。なお、以下の説明では、嵌合部２０において、収納部１０１の各辺に対応した直線部分を、それぞれ第１直線部２１、第２直線部２２、第３直線部２３、及び第４直線部２４と称する。
【００３７】
ケース１０は、溝部１３を備えている。溝部１３は、ケース１０を開ける際、つまり第１ケース部材１１と第２ケース部材１２とを相互に分離させる際に、例えばコインなどの道具を挿入してケース１０に外力を加えるための構成である。本実施形態の場合、溝部１３は、図１に示すように、ケース１０の４つの角部つまり隅部のうちの１つに設けられている。
【００３８】
図３に示すように、溝部１３は、第１ケース部材１１及び第２ケース部材１２のいずれか一方又は両方の側面を窪ませて形成されており、第１ケース部材１１と第２ケース部材１２とに囲まれている。この場合、側面とは、ケース１０の四方の面、つまりケース１０において電池５１の径方向の外側に位置する面である。本実施形態の場合、溝部１３は、第１ケース部材１１の隅部つまり角部の側面からケース１０の中心方向へ円弧状に窪ませて形成されている。なお、溝部１３は、第１ケース部材１１及び第２ケース部材１２のうち第２ケース部材１２の側面を窪ませて形成されたものでも良いし、第１ケース部材１１及び第２ケース部材１２の両方の側面を窪ませて形成されたものでも良い。
【００３９】
本実施形態の場合、図４にも示すように、溝部１３は、収納部１０１の隅切部１０２に対向する位置、つまり隅切部１０２の外側に設けられている。また、溝部１３は、嵌合部２０のうち隅切部１０２を挟んで設けられた第１直線部２１と第２直線部２２との延長線上の交点Ｐを含むように形成されている。換言すれば、溝部１３は、嵌合部２０のうち隣接して配置された２つの直線部分２１、２２の延長線上の交点Ｐを含む位置に設けられている。これにより、溝部１３は、交点Ｐよりもケース１０の中心Ｏ側までコイン９０を挿入可能に構成されている。換言すれば、溝部１３の奥までコイン９０を挿入した場合、交点Ｐは溝部１３に挿入されたコイン９０と重なる。この場合、コイン９０を溝部１３の奥前挿入した場合におけるコイン９０の中心Ｃと、上述した交点Ｐと、溝部１３の頂点Ｍと、ケース１０の中心Ｏとが、直線上に並ぶように配置されている。
【００４０】
この構成において、嵌合部２０全体のうち溝部１３に最も近い箇所、つまり、つまり、嵌合部２０全体のうち溝部１３から嵌合部２０までの距離が最短となる箇所は、第１直線部２１の端部２１１及び第２直線部２２の端部２２１となる。この場合、溝部１３から第１直線部２１の端部２１１までの距離と、溝部１３から第２直線部２２の端部２２１までの距離とは等しい。なお、溝部１３から第１直線部２１の端部２１１までの距離と、溝部１３から第２直線部２２の端部２２１までの距離とは異なっていても良い。
【００４１】
また、第１直線部２１の端部２１１及び第２直線部２２の端部２２１には、面取りが施されている。つまり、第１直線部２１の端部２１１及び第２直線部２２の端部２２１は、直角部分が傾斜状に切り落とされて、溝部１３側へ向かって先細るような鋭角に形成されている。この場合、端部２１１、２２１は、完全な鋭角である必要はなく、他の部分に比べて第１直線部２１及び第２直線部２２の短手方向つまり幅方向の寸法が短くなっていれば良い。また、端部２１１、２２１は、完全な鋭角である必要はなく、丸みを帯びた形状であっても良い。
【００４２】
また、ケース１０は、図１等に示すように、穴部１４を有している。穴部１４は、例えばキーリング９１を挿入するための穴であり、キーリング穴とも称する。穴部１４は、矩形状この場合正方形状のケース１０において、溝部１３の対角となる角部に設けられており、第１ケース部材１１及び第２ケース部材１２をケース１０の厚み方向に貫いて形成されている。穴部１４は、コイン９０を溝部１３の奥側まで挿入した場合におけるコイン９０の中心Ｃと、上述した交点Ｐと、溝部１３の頂点Ｍと、ケース１０の中心Ｏと、を結んだ直線上に配置されている。この場合、溝部１３の頂点Ｍとは、溝部１３のうちケース１０の中心Ｏに最も近い点である。
【００４３】
本実施形態のケース１０は、例えば無線タグ装置１に適用することができる。無線タグ装置１は、例えばホームセキュリティシステムの一部を構成するもので、防犯センサ等の警備機器を制御する制御装置に対し、各種設定や警備状態の解除等の操作を行う際の認証に用いるためのものである。無線タグ装置１は、ケース１０の収納部１０１内に、上述した電池５１及び電子部品５２の他、防水部材１５を収納して構成されている。すなわち、ケース１０は、防水部材１５を更に備えている。
【００４４】
電池５１は、例えば円板状のコイン電池やその他の円柱状の小型の電池であり、適宜の交換が必要な消耗品である。電池５１は、電子部品５２を動作させるための電力を供給する。電池５１は、電子部品５２の基板上に着脱可能に取り付けられている。本実施形態の場合、電池５１は、コイン電池であり、電子部品収納ケース１０の中心位置つまり収納部１０１の中心位置に配置されている。すなわち、電池５１の中心位置は、電子部品収納ケース１０の中心位置つまり収納部１０１の中心位置Ｏとほぼ一致している。電子部品５２は、例えば基板に半導体素子等を実装した電子回路であり、外部の機器との無線通信を行う機能等を有する。
【００４５】
電池５１、電子部品５２、及び防水部材１５は、ケース１０の収納部１０１内に収納されている。防水部材１５は、防水性、柔軟性、及び弾性を有する例えばゴム材で構成されている。防水部材１５は、ケース１０外部の水分が収納部１０１内に侵入することを抑制する又は防ぐ機能を有する。防水部材１５は、容器部１５１と、シール部１５２と、を一体に有している。容器部１５１は、図２及び図３等に示すように、収納部１０１の内側に沿った容器状に形成されており、第２ケース部材１２側が開放されている。容器部１５１は、収納部１０１内に配置されている。そして、電池５１、電子部品５２は、防水部材１５のうち容器部１５１内に収納されている。すなわち、防水部材１５の容器部１５１は、電池５１及び電子部品５２と、第１ケース部材１１との間に設けられている。
【００４６】
シール部１５２は、容器部１５１の上端の縁部からケース１０の平面方向の外側へ向かって延び出ており、その先端部が例えば略円柱形に膨らんでいる。この場合、シール部１５２を含む防水部材１５は、嵌合部２０の内側つまり嵌合部２０に対してケース１０の中心Ｏ側に設けられている。換言すれば、嵌合部２０は、防水部材１５に対してケース１０における外側に設けられている。
【００４７】
第１ケース部材１１と第２ケース部材１２とが結合されている状態において、シール部１５２は、第１ケース部材１１と第２ケース部材１２との間に押し潰されて挟み込まれている。このため、第１ケース部材１１と第２ケース部材１２とはシール部１５２を介して水密に密着しており、これにより、第１ケース部材１１と第２ケース部材１２との隙間から水分が侵入することが抑制又は防止される。なお、防水部材１５は、弾性及び柔軟性をそれほど有さない部材、例えばプラスチック等で構成されていても良い。また、シール部１５２は、例えば金属製のシールリングで構成しても良い。
【００４８】
以上説明した実施形態によれば、ケース１０は、内部に電池５１を含む電子部品５２を収納可能な収納部１０１を有し、第１ケース部材１１と第２ケース部材１２とに分離可能に構成されている。ケース１０は、嵌合部２０と、溝部１３と、を備える。嵌合部２０は、第１ケース部材１１又は第２ケース部材１２の一方に設けられた爪部２０１と、第１ケース部材１１又は第２ケース部材１２の他方に設けられ爪部２０１を受けて嵌合する受け部２０２と、を有している。本実施形態の場合、爪部２０１は第１ケース部材１１に設けられており、受け部２０２は第２ケース部材１２に設けられている。嵌合部２０は、長尺状に構成されており、爪部２０１が受け部２０２に嵌合することで第１ケース部材１１と第２ケース部材１２とを分離可能に結合する。そして、溝部１３は、第１ケース部材１１及び第２ケース部材１２のいずれか一方又は両方の側面を窪ませて形成されている。本実施形態の場合、溝部１３は、第１ケース部材１１の側面を窪ませて形成されている。
【００４９】
この構成によれば、長尺状の嵌合部２０によって嵌合箇所をより長く確保することで、第１ケース部材１１と第２ケース部材１２とを強固に結合することができる。これにより、電子部品収納ケース１０を例えば人の素手で開くことを困難にすることができ、その結果、乳幼児などが誤って開けてしまい、電子部品収納ケース１０の内部に収納されている電池５１等の部品を誤飲してしまうといった事態を防ぐことができる。
【００５０】
そして、ユーザがケース１０を開けるつまり第１ケース部材１１と第２ケース部材１２とを分離させる場合には、例えば図５の（Ａ）、（Ｂ）に示すように、ユーザは、ケース１０の側面に形成された溝部１３に、例えばコイン９０などの板状で剛性を有する道具を挿入し、てこの原理で第１ケース部材１１及び第２ケース部材１２に力を加える。これにより、嵌合部２０の嵌合が外れて、第１ケース部材１１と第２ケース部材１２とが分離する。
【００５１】
この場合、長尺状の嵌合部２０を長くすれば、第１ケース部材１１と第２ケース部材１２とをより強固に結合することができるが、ケース１０を開ける際にも更に強い力が必要となり、コイン９０等の道具を使っても開け難くなる。そこで、本実施形態において、嵌合部２０全体のうち溝部１３に最も近い箇所は、嵌合部２０の端部２１１、２２１となっている。
【００５２】
すなわち、一般にこのような長尺状の嵌合部２０を分離させる場合、その分離の初期の段階つまり分離し始める際に最も大きな力を要する。つまり、コイン９０等の道具から溝部１３に加えられた力は、嵌合部２０に伝わり、これにより嵌合部２０における爪部２０１と受け部２０２との嵌合が外れ始める。そして、一旦、爪部２０１と受け部２０２との嵌合が外れると、その後は、比較的小さな力でも、その外れた部分から連鎖的に外れる。
【００５３】
ここで、ユーザの力が嵌合部２０の長手方向の中央部分に伝わる構成とすると、嵌合部２０に伝わった力は嵌合部２０の長手方向に沿って嵌合部２０全体に分散してしまう。そのため、このような構成では、嵌合部２０が分離し始める際には、ユーザの力が嵌合部２０に効率的に伝達され難く、また、力の損失が多いため、嵌合部２０の爪部２０１と受け部２０２とを分離させ始めるために大きな力が必要となる。
【００５４】
これに対し、本実施形態によれば、嵌合部２０全体のうち溝部１３に最も近い箇所は、嵌合部２０の端部２１１、２２１となっている。このため、嵌合部２０の爪部２０１と受け部２０２とを分離させる初期の段階において、コイン９０等の道具から溝部１３に加えられた力を、嵌合部２０の端部２１１、２２１に集中させることができる。これにより、コイン９０等の道具から溝部１３に加えられた力を、嵌合部２０に効率的に伝えることができ、その結果、従来よりも軽い力で嵌合部２０を分離させてケース１０を開くことができる。
【００５５】
このように、本実施形態のケース１０は、コイン９０などの道具を使わずに素手で開ける場合には容易には開かず、かつ、コイン９０などの道具を使った場合には簡単に開けることができる。その結果、本実施形態によれば、乳幼児などが誤ってケース１０を開けてしまい、内部の電池５１等を誤飲等してしまうことを防止できるという安全性と、電池５１の交換等の際にケース１０を軽い力で容易に開けることができるという作業性と、の両者の向上を図ることができる。
【００５６】
また、溝部１３は、嵌合部２０のうち隣接して配置された２つの直線部分、この場合、第１直線部２１と第２直線部２２との延長線上の交点Ｐを含む位置に設けられている。これによれば、コイン９０などの道具を溝部１３に挿入した場合に、そのコイン９０の作用点を、嵌合部２０のうち隣接する２つの直線部分２１、２２の端部２１１、２２１に極力近づけることができる。このため、ユーザがコイン９０等の道具を用いて溝部１３に加えた力が、嵌合部２０のうち隣接する２つの直線部分２１、２２の端部２１１、２２１に効率良く伝達され、これにより、嵌合部２０は２箇所の端部２１１、２２１でほぼ同時に外れ始め、その後、他の部分も直線部分２１１、２２１に沿って順次外れていく。このように、本実施形態によれば、嵌合部２０の２箇所の端部２１１、２２１をほぼ同時に外し始めることができるため、第１ケース部材１１と第２ケース部材１２とを更に簡単にかつ素早く分離つまりケース１０を開くことができる。
【００５７】
また、嵌合部２０全体のうち溝部１３に最も近い箇所、この場合、第１直線部２１の端部２１１と第２直線部２２の端部２２１とに面取りが施されている。すなわち、嵌合部２０全体のうち溝部１３に最も近い箇所２１１、２２１は、コイン９０等の道具を用いてケース１０を開く際に、その開け初めの際において力が作用する箇所である。そして、この開け初めに力が作用する箇所２１１、２２１に面取りを施すことで、この面取りを施した部分における爪部２０１と受け部２０２との嵌合を弱くすることができる。この結果、ユーザがコイン９０等の道具を用いた場合には、より小さな力でケース１０を開くことができる。
【００５８】
また、ケース１０は、防水部材１５を更に備えている。防水部材１５は、防水性を有する材料で構成され、第１ケース部材１１と第２ケース部材１２とが結合されている状態において第１ケース部材１１と第２ケース部材１２との間に挟み込まれている。そして、嵌合部２０は、防水部材１５の外側で、かつ、収納部１０１の周囲に沿って配置されている。
【００５９】
これによれば、防水部材１５の外側において嵌合部２０の爪部２０１と受け部２０２とを嵌合させることで、第１ケース部材１１と第２ケース部材１２とで防水部材１５を強く圧縮することができる。このため、第１ケース部材１１と第２ケース部材１２との結合部分の隙間から外部の水分の侵入を効率良く抑制できる。これにより、ケース１０内の高い防水性を確保することができ、その結果、水分の影響による電池５１や電子部品５２の不具合を抑制することでできる。
【００６０】
ここで、例えばケース１０内に収納される電子部品５２として回路基板が用いられるが、通常、回路基板は、同一形状のものを複数枚一括して製造するため、矩形形状のものが多い。そのため、ケース１０及び収納部１０１を矩形にすることで、収納部１０１内に矩形の電子基板をスペースの無駄無く配置することができる。しかし、ケース１０内に収納される例えばコイン電池５１は円板状であるため、ケース部材１１及び収納部１０１を矩形にすると、角部つまり隅部がデッドスペースとなって無駄になる。
【００６１】
そこで、本実施形態によれば、第１ケース部材１１及び第２ケース部材１２は、相互に結合された状態において矩形状に形成されている。そして、溝部１３は、矩形状の角部に設けられている。これによれば、第１ケース部材１１及び第２ケース部材１２を矩形状に形成することで、回路基板等の矩形状の電子部品５２を効率良くスペースの無駄なく配置することができる。更に、溝部１３は、矩形状の角部に設けられている。このように、ケース１０及び収納部１０１を矩形にした場合にデッドスペースになりがちな角部に溝部１３を設けることで、収納部１０１内のスペースを有効活用でき、その結果、ケース１０の大型化を抑制しつつ、溝部１３の領域を極力広く確保してケース１０を開ける際の操作性を向上させることができる。
【００６２】
また、本実施形態によれば、矩形状における４つの隅部のうち溝部１３が設けられていない箇所に、第１ケース部材１１及び第２ケース部材１２を貫いて形成された穴部１４が形成されている。ユーザは、穴部１４に例えば円環状のキーリング９１を通すことができる。これにより、ユーザが嵌合部２０の爪部２０１及び受け部２０２を外して第１ケース部材１１と第２ケース部材１２とが分離した場合であっても、第１ケース部材１１と第２ケース部材１２とがバラバラに離散してしまうことを防止できる。そして、この穴部１４を、矩形状における４つの隅部のうち溝部１３が設けられていない箇所に形成することによって、デッドスペースになりがちな隅部を有効活用することができる。これにより、穴部１４を設けるために第１ケース部材１１及び第２ケース部材１２を拡大する必要がなく、その結果、ケース１０の大型化を抑制することができる。
【００６３】
（第２実施形態）
次に、第２実施形態について図６を参照して説明する。
上記第１実施形態において、第１直線部２１と第２直線部２２とは相互に離間していた。これに対し、図６に示すように、本実施形態において、第１直線部２１と第２直線部２２とは繋がっている。この場合、第１直線部２１と第２直線部２２とは、角部２５において直角に屈曲している。このため、嵌合部２０全体のうち溝部１３に最も近い箇所は、嵌合部２０が直角に屈曲した角部２５である。そして、この角部２５には、上記第１実施形態における端部２１１、２２１と同様に、面取りが施されている。
【００６４】
本実施形態によっても、上記第１実施形態と同様の作用効果が得られる。すなわち、本実施形態によっても、コイン９０等の道具から溝部１３に加えられた力を、嵌合部２０の角部２５に集中させることができる。これにより、コイン９０等の道具から溝部１３に加えられた力を、嵌合部２０に効率的に伝えることができ、その結果、従来よりも軽い力で嵌合部２０を分離させてケース１０を開くことができる。
なお、本実施形態において、第１直線部２１と第２直線部２２とは角部２５において角を有して折れ曲がっていればよく、必ずしも直角に折れ曲がっている必要はない。
【００６５】
（第３実施形態）
次に、第３実施形態について図７を参照して説明する。
上記第１実施形態において、第１直線部２１と第２直線部２２とは相互に離間していた。これに対し、本実施形態において、第１直線部２１と第２直線部２２とは接続部２６を介して接続されている。接続部２６は、第１直線部２１の端部と第２直線部２２との端部とを最短距離で接続しており、直線状に形成されている。この場合、接続部２６の長さ寸法は、他の直線部２１、２２、２３、２４よりも短い。
【００６６】
すなわち、接続部２６は、嵌合部２０の全体のうち当該嵌合部２０の直線部分の最も短い部分である。したがって、本実施形態の場合、接続部２６は、嵌合部２０全体において直線部分が最も短いという意味で最短部２６と称することもできる。そして、本実施形態において、嵌合部２０全体のうち溝部１３に最も近い箇所は、嵌合部２０の全体のうち当該嵌合部２０の直線部分の最も短い部分、つまり接続部２６となっている。また、接続部２６は、矩形この場合正方向のケース１０における角部に設けられている。
【００６７】
この場合、接続部２６は、嵌合部２０の全体のうち他の直線部分２１、２２、２３、２４よりも短いため、これら他の直線部分２１、２２、２３、２４に対して力を作用させた場合に比べてより小さい力で嵌合を外すことができる。そのため、これによれば、上記各実施形態には及ばないものの、従来構成に比べれば軽い力で嵌合部２０を分離させてケース１０を開くことができる。
【００６８】
（その他の実施形態）
なお、ケース１０つまり第１ケース部材１１及び第２ケース部材１２は、上述したような正方形状に限られない。ケース１０は、例えば図８に示すように、全体として長方形状に構成しても良い。この場合、電池５１は、長方形状の収納部１０１の中央部分に配置しても良いし、図８に示すように、長方形状の収納部１０１の長手方向の一方側に寄せて配置しても良い。
【００６９】
また、溝部１３は、図８に示すように、嵌合部２０のうち離間した部分の間に設けても良い。すなわち、図８の例において、第１直線部２１は、ケース１０の幅方向つまり短手方向の中央部分において離間している。第１直線部２１のうち離間した２つの端部２１２、２１２は対向している。この場合、コイン９０を溝部１３の奥前挿入した場合におけるコイン９０の中心Ｃと、溝部１３の頂点Ｍと、ケース１０の中心Ｏとが、直線上に並ぶように配置されている。
【００７０】
また、この場合、離間した２つの端部２１２、２１２を結んだ直線の中心Ｋが、コイン９０を溝部１３の奥前挿入した場合におけるコイン９０の中心Ｃと、溝部１３の頂点Ｍと、ケース１０の中心Ｏとを結んだ直線上に並ぶように配置されている。また、この場合も、穴部１４は、コイン９０を溝部１３の奥側まで挿入した場合におけるコイン９０の中心Ｃと、溝部の頂点Ｍと、上述した中心ＫＰと、ケース１０の中心Ｏと、を結んだ直線上に配置されている。
これによっても、上記各実施形態と同様の作用効果が得られる。
【００７１】
なお、上記説明した実施形態において、ユーザがケース１０を開ける際に使用する道具として硬貨などのコイン９０を例示して説明したが、当然ながら道具はコイン９０に限られず、例えばマイナスドライバーなどの工具であっても良い。
【００７２】
この場合、ケース１０を開けて内部のコイン電池５１を交換する際であっても、ユーザが例えば硬貨などのコインや他の工具を所持していない場合も考えられる。しかし、ケース１０を開けて内部のコイン電池５１を交換する際、ユーザは、交換に使用する新しいコイン電池５１を必ず所持していると想定される。そこで、上記各実施形態において、ユーザがケース１０を開ける際に使用する道具としては、例えば交換に使用するコイン電池を想定しても良い。この場合、一般に硬貨などのコインに比べてコイン電池の方が厚みを有する。そのため、上記各実施形態において、溝部１３を、コイン電池５１も挿入可能な寸法とする。
【００７３】
ここで、従来構成においても、ケースを開けるための道具としてコイン電池を想定することも考えられる。しかしながら、従来構成においては、道具を用いた場合でもケースを開ける際には大きな力を要していたため、例えばコイン電池をその道具として採用した場合には、コイン電池が折れ曲がったりするなどの損傷するおそれがあった。
【００７４】
これに対し、上記各実施形態によれば、従来に比べてより小さな力でケース１０を開けることができる。そのため、コイン電池５１を溝部１３に挿入してケース１０を開けた場合であっても、コイン電池５１が損傷することを抑制できる。したがって、上記各実施形態によれば、溝部１３にコイン電池５１してケース１０を開けるようにすることができ、その結果、ユーザの利便性を更に向上させることができる。
【００７５】
なお、上記説明した各実施形態は、上記し且つ図面に記載した各実施形態に限定されるものではなく、発明の要旨を逸脱しない範囲において適宜変更することができる。
【符号の説明】
【００７６】
図面中、１は無線タグ装置、１０は電子部品収納ケース、１０１は収納部、１１は第１ケース部材、１２は第２ケース部材、１３は溝部、１４は穴部、１５は防水部材、２０は嵌合部、２０１は爪部、２０２は受け部、２１１、２２１は端部、２５は角部、２６は嵌合部の全体のうち当該嵌合部の直線部分の最も短い部分、５１は電池、５２は電子部品、を示す。
【図１】
2020161679.tif 000003
【図２】
2020161679.tif 000004
【図３】
2020161679.tif 000005
【図４】
2020161679.tif 000006
【図５】
2020161679.tif 000007
【図６】
2020161679.tif 000008
【図７】
2020161679.tif 000009
【図８】
2020161679.tif 000010